(57)【要約】【課題】構造強度を十分に保持しつつ、着用時に良好な視界を確保する剣道用面金及び剣道用面防具を提供する。【解決手段】略顔面輪郭形状に形成された台座と、前記台座の中央の上下方向に架設された筋金と、前記台座の左右方向に互いに所定の間隔を置いて架設された複数の横金と備え、前記筋金の目の位置に切欠を設ける。切欠を通して相手を見ることができるため、筋金に視界を遮られることなく、最大限の視野を確保することができる。また、切欠は十分に面金の強度を維持する大きさ、形状をしており、面金は相手の攻撃を十分に耐えうる強度を有する。【選択図】図１
2008142225.tif 000002
【特許請求の範囲】
【請求項１】
略顔面輪郭形状に形成された台座と、
前記台座の中央の上下方向に架設された筋金と、
前記台座の左右方向に互いに所定の間隔を置いて架設された複数の横金と、
備える剣道用面金において、
前記筋金の目の位置に切欠を設けたことを特徴とする剣道用面金。
【請求項２】
前記切欠を筋金の裏面に設けた、請求項１記載の剣道用面金。
【請求項３】
前記切欠を筋金の表面に設けた、請求項１又は２記載の剣道用面金。
【請求項４】
前記切欠を略半円状に形成した請求項１乃至３のいずれか１項に記載の剣道用面金。
【請求項５】
請求項１乃至４のいずれか１項に記載の剣道用面金を備えた剣道用面防具。
【発明の詳細な説明】
【技術分野】
【０００１】
本発明は、剣道において竹刀、長刀等から頭部、顔面等を保護するために使用される剣道用面金及びこれを備えた剣道用面防具に関する。
【背景技術】
【０００２】
図６に示すように、古来、剣道等に用いられる面防具１１０は、着用時に顔面前面側に位置して顔面を保護する面金１００と、頭頂部及び頭側部等を覆って保護する面布団１０１と、首部（喉）を保護する突き当て１０２等から構成される。
【０００３】
このような剣道用面防具１１０において、前記面金１００は、顔面の輪郭に略等しい大きさの枠形状に形成された金属製の台座３と、この台座１０３の中央上部から下部にかけて架設された筋金１０４と、上記台座１０３の左右方向に架設され、互いに所定の間隔をおいて配設された１３〜１５本程度の横金１０５とで構成される。
【０００４】
この構成の面金１００は、対戦相手の面攻撃を受けたときや、面同士が激しくぶつかったときに充分に耐えうる強度でなければならないし、また、筋金１０４や横金１０５の格子で視界を遮るものであってはならない。
【０００５】
ところが、このような構造であると、筋金１０４によって視界が狭くなり、対戦相手の動きを見難くなる欠点がある。図３Ａは、従来の面防具１１０を着用したときの視界の広さを説明するための図である。図３Ａに示すように、構造上の物理的な観点から見て、中央の筋金１０４によって、左右の目の視界が分けられ、例えば右目からは左の枠を通しての視界が狭くなる。
【０００６】
このような欠点は、特に小学生から高校生ぐらいまでの初心者にとっては大きな問題となる。初心者の試合は鍔ぜり合いが中心で、決まる技も引き技で決まることが多い。相手と密着した鍔ぜり合いは、相手の顔が目の前にあるため、ちょっとした相手の動きにも敏感である。そういった状況の下で視野が狭くなることは、相手の動き、情報が目に入りにくくなって相手に打たれる確率が増え、自分が打つ確率が減る。
【０００７】
また、動きの早い高段位の者、熟練者にとってもこのような欠点は問題となる。熟練者等は早い動きのなかで相手の動きを見極めようとするので、感覚的にも上記の欠点が助長されるようになるからである。
【０００８】
他方、筋金１０４がなければ視界が狭くなるという欠点を解消することはできるが、上述のように、面金の強度上の観点から筋金はなくてはならないものである。
【０００９】
そこで、例えば特許文献１には、目の位置には筋金１０４や横金１０５を設けず、代わりに透明の顔面保護体を設けることで、視野を確保することができる剣道用面防具が記載されている。
【特許文献１】特開平０９−１０８３９５号公報
【発明の開示】
【発明が解決しようとする課題】
【００１０】
ところが、剣道は日本古来の伝統文化の一つであり、他の運動競技用の面防具と異なって、防具としての機能を発揮すれば十分というものではない。すなわち、上記特許文献１に記載の面防具のように、古来の面防具と外観が著しく異なるものは、剣道固有の文化や伝統を重んじる精神に反することとなる。
【００１１】
このため、従来からの面防具と外観が異なることなく、着用しても視界が広がる面防具を求める要請が高かった。
【００１２】
本発明はこのような問題点に鑑みてなされたものであり、十分な強度を維持し、かつ、視界が広くなって相手が見やすくなるという剣道用面金及び剣道用面防具を提供することを目的とする。
【課題を解決するための手段】
【００１３】
以上の目的を達成するために、本発明では、以下のような手段を採用している。
【００１４】
本発明の剣道用面金は、略顔面輪郭形状に形成された台座と、前記台座の中央の上下方向に架設された筋金と、前記台座の左右方向に互いに所定の間隔を置いて架設された複数の横金とを備えることを前提としている。
【００１５】
さらに本発明の剣道用面金において、前記筋金の目の位置に切欠が設けられる。この切欠を通して相手を見ることができ、筋金に視界が遮られるのを最小限に抑えることができる。このように視界が広がる結果、相手の動きを十分に見極め、不用意に相手の攻撃を受けるのを防ぎ、かつ確実に相手に攻撃をしかけることができる。
【００１６】
前記切欠は、筋金の裏面側に設けても良いし、表面側に設けても良い。
【００１７】
また、前記切欠は、面金の強度上の観点から、略半円状に設けても良い。略半円状に設けることで、切欠にかかる衝撃を分散させることができる。
【発明の効果】
【００１８】
以上のように、本発明によれば、構造強度を十分に保持しつつ、着用時に良好な視界を確保する剣道用面金及び剣道用面防具を提供することができる。
【発明を実施するための最良の形態】
【００１９】
以下、本発明を実施するための最良の形態について、図面を参照しながら詳細に説明する。
【００２０】
本実施形態の剣道用面防具の構成は従来の剣道用面防具と同様の構成である。すなわち、図６に示すように、剣道用面防具１１は、着用時に顔面を保護する面金１０と、着用時に頭頂部及び頭側部等を覆って保護する面布団１と、着用時に首部（喉）を保護する突き当て２を備える。
【００２１】
前記面布団１は、頭部を覆う幅で帯状に形成された木綿布等からなる。前記突き当ては、毛せんを芯材にして周囲に皮革等縫い付けられて構成される。前記面布団１及び前記突き当て２は、既存の種々のものを用いることが出来る。
【００２２】
前記面金１０は、ジュラルミンで形成されるが、鉄やチタン合金等の金属を用いても良い。
【００２３】
図１は、本実施形態の面金の裏面側から見た斜視図である。図２は、本実施形態の面金の側面図である。
【００２４】
面金１０は、顔面の輪郭に略等しい大きさで縦方向に長い楕円形の座金３と、座金３の中央で上部と下部とを垂直方向に架設された筋金４と、平行方向に架設された複数の横金５とを備える。横金５及び筋金４は、着用した際に顔面から所定の距離を保つよう外側に膨出するように湾曲されている。
【００２５】
前記横金５は、筋金４を水平方向に貫通して左右の座金３に到達する上下方向に原則一定の所定間隔Ｌ１を開けて架設される。ただし、上下方向の視野を広げるため、着用時に視線が通過する眼前部分（目の位置）における横金５の間隔Ｌ２は、他の横金５の間隔Ｌ１より大きくなっている。
【００２６】
さらに、本実施形態の面金１０においては、筋金４の裏面１０ｂ側に切欠６が設けられている。切欠６は、眼前部分（目の位置）、すなわち筋金４の中央付近に形成されている。切欠６の形状は、相手の攻撃による衝撃を緩和できるよう略半円状に形成されている。例えば、Ｖ字状に切欠が設けられていると、衝撃を受けた際にＶ字状の切欠に亀裂が生じ、破壊する結果につながるおそれがある。
【００２７】
この切欠６によって、視野の広い状態で剣道の試合、練習等を行うことができる。以下、切欠６が設けられていない場合の視野の広さと、切欠６が設けられた場合の視野の広さについて説明する。
【００２８】
図３、図７は本実施の形態の剣道用面防具１１を着用した際の視界の状態を示す図であり、図３は図２のA-A断面図、図７は防具を着用した者から対戦相手を見た斜視図である。図３A、図７Aは筋金４に切欠６が設けられていない場合を示し、図３B、図７Aは筋金４に筋金４に切欠６が設けられている場合を示す。
【００２９】
図３、図７において、対戦相手が例えば左斜め方向に構えているものとする。このとき、図３A、図７Aに示すように筋金４に切欠６が設けられていない場合には、右目から見た左側の視野は、上記筋金４に遮られて狭くなり、左目だけで対戦相手の動きをみることになり、相手の素早い動き、あるいは細かな動きに対して充分な対応が取れないことがある。
【００３０】
図３B、図７Bに示すように、筋金４に切欠６が設けられている場合は、右目から見た左側の視野は、上記筋金４に遮られる範囲が小さくなり、左右の目で対戦相手をみることができることになる。特に、面防具１１を着用し慣れていない小学生、中学生等の年少者や初心者は、視界を遮られることの違和感が大きいため、視野が広がることの効果は大きい。
【００３１】
以上、筋金４で右目の視野が遮られる場合について説明したが、逆に、従来の面防具では図８Aに示すように、左目の視野が遮られる場合もある。この場合であっても、本実施の形態に係る面防具を用いると、図８Bに示すように、左目の視界は広くなり、両目で対戦相手を観察することが可能となる。
【００３２】
切欠６の大きさは、縦方向（垂直方向）の長さは５ｍｍから１０ｍｍ、深さは１５ｍｍから２０ｍｍが好ましい。この大きさであれば、視界は１０度から１５度広がり、初心者であっても視界が遮られることの違和感を解消することができる。
【００３３】
なお、切欠６を大きくするほど視界は広がるのであるが、大きすぎると十分な構造強度が維持されず、安全上の問題が発生する。したがって、視界の広さと構造強度とのバランスを考慮して、切欠の大きさを決定する。
【００３４】
以下、本実施形態において切欠６を設けたことにより、十分な構造強度を保持するか否かについて説明する。
【００３５】
図４は、面金の強度についての試験方法を示す図である。図５は、面金の強度試験についての試験結果を示す図である。
【００３６】
図４に示すように、試験試料となる被験体１、２、３をそれぞれ面金１０の表面１０ａが上向きになるように設置し、面金１０に下向き方向へ荷重をかけ、破壊荷重を測定する。被験体は、全てジュラルミン製の面金が用いられる。
【００３７】
被験体１は、前記切欠が形成されていない従来の面金である。被験体２は、前記切欠が形成された面金である。被験体３は、前記切欠が形成され、面防具１１の重心位置と頭部の重心位置とが一致するように構成させた面金である。
【００３８】
被験体３のように、面防具１１と頭部との重心を一致させることで、面防具１１を着用したときの一体感を増し、体の動きに無駄が生じるのを防止することができる。これにより、面防具１１を、重すぎもせず軽すぎもせず、最適な重量にすることができる。すなわち、ある程度の適度の重量を感じることで対戦相手からの竹刀の打突による衝撃力を弱めるとともに、面防具１１の重量による頚椎部にかかる負担を少なくするという効果がある。なお、被験体３を用いた面防具１１の重心位置は、被験体１、被験体２を用いた面防具の重心位置に比べて上方に１５〜２０ｍｍ、後方に５〜１０ｍｍずれた位置にある。
【００３９】
図５は、以上の被験体１、２、３を用いた強度試験の結果を示す。被験体２の破壊荷重（２０３００Ｎ）は、被験体１（従来の面金）の破壊荷重（１７６００Ｎ）より大きい。すなわち、この試験結果は、略半円状の切欠を設けることで面金の構造強度が増加することを示している。これは、最も重い衝撃がかかる眼前部分において、切欠が設けられることで衝撃が分散し、筋金全体で衝撃を受けることができるからである。
【００４０】
また、同様の理由から、被験体３の破壊荷重１９６００Ｎ）も、被験体１の破壊荷重（１７６００Ｎ）より大きい。
【００４１】
このように、切欠が大きすぎなければ、切欠を設けても面金の強度が低下することはない。このため相手の攻撃を受けたとしても、十分に衝撃に耐えうる強度を保っている。
【００４２】
以上より、視界が広くなり、対戦相手の動きを見極めることができる。その結果、剣道の初心者にとっては視界が遮られることの違和感が軽減し、上級者にとっては視界がより広がることで相手の微妙な動きを敏感に察知することできる。
【００４３】
尚、上述した実施の形態は、本発明を具体化した一例であって、本発明の技術的範囲を限定する性格のものではない。
【００４４】
したがって、上述の実施形態は、切欠を筋金裏面１０ｂ側に設けているが、これに限定するものではない。
【００４５】
例えば、切欠を筋金表面１０ａ側に設けても、上述と同様の着用者の視界を広めるという効果が得られる。
【００４６】
さらに、面金の強度を十分に保つ範囲内で、切欠を裏面１０ｂ側及び表面１０ａ側に設けても良い。すなわち、視界が通過する眼前部分において筋金の幅を小さくすることで上述と同様の効果を得ることができる。
【産業上の利用可能性】
【００４７】
本発明に係る剣道用金具及び剣道用面防具は、着用したときに視界が広くなり、竹刀、長刀から顔面部や頭部を保護する剣道用金具及び剣道用面防具として有用である。
【図面の簡単な説明】
【００４８】
【図１】本実施形態の剣道用面金の斜視図。
【図２】本実施形態の剣道用面金の側面図。
【図３】本実施形態の剣道用面防具を着用した際の視界の広さを示す図
【図４】本実施形態の面金の構造強度についての試験方法を説明するための図。
【図５】本実施形態の面金の構造強度についての試験結果を示す図。
【図６】従来の剣道用面道具の正面図。
【図７】本発明の使用者から見た斜視図である。
【図８】本発明の使用者から見た斜視図である。
【符号の説明】
【００４９】
１  面布団
２  突き当て
３  座金
４  筋金
５  横金
６  切欠
１０  剣道用面金
１０ａ  面金表面
１０ｂ  面金裏面
１１  剣道用面防具
【図１】
2008142225.tif 000003
【図２】
2008142225.tif 000004
【図３】
2008142225.tif 000005
【図４】
2008142225.tif 000006
【図５】
2008142225.tif 000007
【図６】
2008142225.tif 000008
【図７】
2008142225.tif 000009
【図８】
2008142225.tif 000010